(57)【要約】【課題】  実用上充分な保存安定性を確保しつつ、高印字濃度を発現できるインクジェット記録用水系インクを提供すること。【解決手段】  水、アニオン性基を有する自己分散型顔料、及び水難溶性のアミン又はその塩を配合又は含有してなるインクジェット記録用水系インクである。【選択図】  なし【特許請求の範囲】
【請求項１】
水、アニオン性基を有する自己分散型顔料、及び水難溶性のアミン又はその塩を配合してなる、インクジェット記録用水系インク。
【請求項２】
水、アニオン性基を有する自己分散型顔料、及び水難溶性のアミン又はその塩を含有するインクジェット記録用水系インク。
【請求項３】
更に、水溶性の塩基性化合物を配合又は含有する請求項１又は２に記載のインクジェット記録用水系インク。
【請求項４】
アニオン性基を有する自己分散型顔料１００重量部に対して、水難溶性のアミン又はその塩の配合量又は含有量が、０．１〜５０重量部である請求項１〜３いずれかに記載のインクジェット記録用水系インク。
【請求項５】
水難溶性のアミンが、（ａ）炭素数６〜４４の脂肪族アミン、（ｂ）炭素数６〜３６の芳香族アミン、及び（ｃ）下記一般式（１）で表わされるアミンからなる群から選ばれる少なくとも１種である請求項１〜４のいずれかに記載のインクジェット記録用水系インク。
【化１】
2006083304.tif 000004
（式中、Ｒ1、Ｒ2及びＲ3の内、少なくとも１つは、エーテル結合又はアミド結合を有する炭素数４〜２２の炭化水素基を示し、残余のＲ1、Ｒ2及びＲ3は、同一でも異なってもよく、炭素数１〜２２の炭化水素基又は水素原子を示す。）
【請求項６】
アニオン性基を有する自己分散型顔料の配合量又は含有量が、１〜２０重量％である請求項１〜５のいずれかに記載のインクジェット記録用水系インク。
【発明の詳細な説明】
【技術分野】
【０００１】
本発明は、インクジェット記録用に好適に使用しうる水系インクに関する。
【背景技術】
【０００２】
インクジェット記録方式は、非常に微細なノズルからインク液滴を記録部材に直接吐出し、付着させて文字や画像を得る記録方式である。この方式は、フルカラー化が容易で、かつ安価であり、被記録部材として普通紙が使用可能であって、さらに被記録部材に対して非接触である、という数多くの利点があるため、普及が著しい。
インクジェット記録用として用いられるインクでは、一般に、耐光性に優れるとの理由から、インクの着色剤として、顔料が用いられる（例えば特許文献１参照）。しかしながら顔料を用いたインクは、保存安定性が悪く、インクジェットヘッドのノズル内で固化してしまうことが問題であった。
【０００３】
この問題を解決するため、顔料の表面に親水性の官能基を化学結合させ、分散剤や樹脂を用いることなく安定に水系媒体に分散させることができる、いわゆる自己分散型顔料を含有するインクジェット記録用インク（例えば特許文献２参照）が提案されている。
このインクは、保存安定性はある程度優れているが、更に高レベルの保存安定性と高印字濃度を有する水系インクが求められている。
【０００４】
【特許文献１】特開平８−１８３９２０号公報
【特許文献２】特開平１０−１４００６４号公報
【発明の開示】
【発明が解決しようとする課題】
【０００５】
本発明は、インクジェット記録用水系インクにおいて、充分な保存安定性と、普通紙に印字した際の高印字濃度を両立できるインクジェット記録用水系インクを提供することを課題とする。
【課題を解決するための手段】
【０００６】
本発明は、水、アニオン性基を有する自己分散型顔料、及び水難溶性のアミン又はその塩を配合又は含有してなるインクジェット記録用水系インクを提供する。
【発明の効果】
【０００７】
本発明の水系インクは、保存安定性に優れるとともに、普通紙に印字した際に高い印字濃度を発現できる、優れた水系インクである。
【発明を実施するための最良の形態】
【０００８】
本発明のインクジェット記録用水系インクは、水難溶性のアミン又はその塩を、アニオン性基を有する自己分散型顔料と組み合わせて用いる点に大きな特徴がある。
本発明の水系インクおける各構成要素について、以下詳細に説明する。
【０００９】
（アニオン性基を有する自己分散型顔料）
アニオン性基を有する自己分散型顔料（以下、単に自己分散型顔料ともいう）とは、顔料の表面に少なくとも1種のアニオン性基を直接、若しくは他の原子団を介して結合させることで、界面活性剤や樹脂を用いることなく水系媒体に分散可能である顔料を意味する。ここで、他の原子団としては、炭素原子数１〜１２、好ましくは炭素原子数１〜２４のアルキレン基、置換基を有してもよいフェニレン基又は置換基を有してもよいナフチレン基が挙げられる。
アニオン性基としては、顔料粒子を水系媒体に安定に分散しうる程度に十分に親水性が高いものであれば、任意のものを用いることができる。これらのアニオン性基の具体例としては、カルボキシル基（−ＣＯＯＭ）、スルホン酸基（-ＳＯ3Ｍ）、リン酸基（−ＰＯ3Ｍ2）、又はそれらの解離したイオン形（−ＣＯＯ-、-ＳＯ3-、−ＰＯ32-、−ＰＯ3- Ｍ）等が挙げられる。
上記化学式中、Ｍは、同一でも異なってもよく、水素原子、アルカリ金属、アンモニア又は有機アミンのアンモニウム塩を表す。アルカリ金属の具体例としては、リチウム、ナトリウム、カリウム等が挙げられ、有機アミンのアンモニウムの具体例としては、モノ、ジまたはトリメチルアミンの塩、モノ、ジまたはトリエチルアミンの塩、モノ、ジまたはトリエタノールアミンの塩等が挙げられる。
【００１０】
顔料を自己分散型顔料とするには、上記の親水性の高いアニオン性基の必要量を、顔料表面に化学結合させればよい。そのような方法としては、任意の公知の方法を用いることができる。例えば、米国特許第５５７１３１１号明細書、同第５６３０８６８号明細書、同第５７０７４３２号明細書、Ｊ．Ｅ．Ｊｏｈｎｓｏｎ，Ｉｍａｇｉｎｇ Ｓｃｉｅｎｃｅ ａｎｄ Ｔｅｃｈｎｏｌｏｇｙ'ｓ５０ｔｈ Ａｎｎｕａｌ Ｃｏｆｅｒｅｎｃｅ（１９９７）、Ｙｕａｎ Ｙｕ， Ｉｍａｇｉｎｇ Ｓｃｉｅｎｃｅ ａｎｄ Ｔｅｃｈｎｏｌｏｇｙ'ｓ ５３ｔｈ Ａｎｎｕａｌ Ｃｏｎｆｅｒｅｎｃｅ（２０００）、ポリファイル，１２４８（１９９６）等に記載されている方法が挙げられる。
より具体的には、硝酸、過酸化水素、次亜塩素酸、クロム酸のような酸化性を有する酸等の化合物によってカルボキシル基を導入する方法、過硫酸化合物の熱分解によってスルホン基を導入する方法、カルボキシル基、スルホン基、アミノ基等を有するジアゾニウム塩化合物によって上記のアニオン性基を導入する方法等があるが、これらの方法に限定されるものではない。
【００１１】
アニオン性基の存在比は、特に限定されるものではないが、自己分散型顔料１ｇ当たりとして、１００〜５，０００μｍｏｌ／ｇが好ましく、３００〜３，０００μｍｏｌ／ｇが好ましい。
自己分散型顔料の市販品の例としては、キャボットスペシャルティケミカルス社の商品名、ＣＡＢ−Ｏ−ＪＥＴ３００、ＣＡＢ−Ｏ−ＪＥＴ２００、ＣＡＢ−Ｏ−ＪＥＴ２５０、ＣＡＢ−Ｏ−ＪＥＴ２６０、ＣＡＢ−Ｏ−ＪＥＴ２７０、オリヱント化学工業株式会社のＢＯＮＪＥＴＢＬＡＣＫ ＣＷ−１、ＢＯＮＪＥＴＢＬＡＣＫ ＣＷ−２、東海カーボン株式会社のＡｑｕａＢｌａｃｋ１６２（カルボキシル基として約８００μｍｏｌ／ｇ）等が挙げられる。
【００１２】
（顔料）
自己分散型顔料の原料になる顔料としては、水系インク中で安定な微粒子にすることができるものであれば、任意の種類のものを用いることができる。
顔料は、無機顔料及び有機顔料のいずれであってもよい。また、必要に応じて、それらと体質顔料を併用することもできる。
無機顔料としては、例えば、カーボンブラック、金属酸化物、金属硫化物、金属塩化物等が挙げられる。これらの中では、特に黒色水系インクにおいては、カーボンブラックが好ましい。カーボンブラックとしては、ファーネスブラック、サーマルランプブラック、アセチレンブラック、チャンネルブラック等が挙げられる。
有機顔料としては、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アンソラキノン顔料、キノフタロン顔料等が挙げられる。
好ましい有機顔料の具体例としては、Ｃ．Ｉ．ピグメント・イエロー、Ｃ．Ｉ．ピグメント・レッド、Ｃ．Ｉ．ピグメント・バイオレット、Ｃ．Ｉ．ピグメント・ブルー、Ｃ．Ｉ．ピグメント・グリーン等の各品番製品が挙げられる。
体質顔料としては、シリカ、炭酸カルシウム、タルク等が挙げられる。
上記の顔料は、単独で又は２種以上を任意の割合で混合して用いることができる。
【００１３】
（水難溶性のアミン又はその塩）
水難溶性のアミン又はその塩は、前記アニオン性基を有する自己分散型顔料の印字濃度を高めるために用いられる。水難溶性のアミン又はその塩は、前記アニオン性基の一部又は全部を中和していてもよい。
本発明における水難溶性のアミン又はその塩としては、水への難溶性を示すものであれば特に限定されず、任意のものを用いることができる。より具体的には、２０℃の水１００ｇに溶解させたときに、その溶解量が２０ｇ以下であるものが好ましく、その溶解量が２ｇ以下であるものが更に好ましい。なお、アミンは、塩となっていてもよいが、溶解度は塩を形成していないアミンとして測定する。
【００１４】
本発明の水難溶性のアミンとしては、（ａ）炭素数６〜４４の脂肪族アミン、（ｂ）炭素数６〜３６の芳香族アミン、及び（ｃ）下記一般式（１）で表わされるアミンが好ましく挙げられる。
【００１５】
【化１】
2006083304.tif 000002
（式中、Ｒ1、Ｒ2及びＲ3の内、少なくとも１つは、エーテル結合又はアミド結合を有する炭素数４〜２２の炭化水素基を示し、残余のＲ1、Ｒ2及びＲ3は、同一でも異なってもよく、炭素数１〜２２の炭化水素基又は水素原子を示す。）
これらの水難溶性のアミンは、１種単独で、又は２種以上を混合して用いることができる。
【００１６】
（ａ）炭素数６〜４４の脂肪族アミンは、直鎖又は分岐鎖の炭化水素基を１〜３個有する、第一級、第二級及び第三級のいずれのアミンであってもよい。
第一級アミンとしては、炭素数６〜２４、好ましくは炭素数６〜２２、更に好ましくは炭素数８〜１８のアルキルアミンが挙げられる。より具体的には、ヘキシルアミン（１．９ｇ／１００ｇ）、ｎ−オクチルアミン（０．０２ｇ／１００ｇ）、２−エチルへキシルアミン（０．２５ｇ／１００ｇ）、ｔ−オクチルアミン、デシルアミン、イソデシルアミン、ドデシルアミン、ステアリルアミン等が挙げられる。ここで、（  ）内は、２０℃の水１００ｇに溶解させたときの溶解量を示し、以下も同様である。
【００１７】
第二級アミンとしては、総炭素数６〜４４、好ましくは総炭素数８〜３６、更に好ましくは総炭素数８〜２４のジアルキルアミンが挙げられる。より具体的には、ジブチルアミン（０．３ｇ／１００ｇ）、ジアミルアミン、ジヘキシルアミン、ジ−ｎ−オクチルアミン、ジ−２−エチルへキシルアミン、ジデシルアミン等が挙げられる。
また、第三級アミンとしては、総炭素数６〜４４、好ましくは総炭素数８〜３６、更に好ましくは総炭素数８〜２４のトリアルキルアミンが挙げられる。より具体的には、トリエチルアミン（１７ｇ／１００ｇ）、トリプロピルアミン（０．２５ｇ／１００ｇ）、トリブチルアミン（０．０３８６ｇ／１００ｇ）、トリアミルアミン、トリへキシルアミン、トリ−ｎ−オクチルアミン、トリ−２−エチルヘキシルアミン、トリドデシルアミン、ジメチル−ｎ−オクチルアミン、ジメチル−２−エチルヘキシルアミン、ジメチルドデシルアミン、ジメチルステアリルアミン等が挙げられる。
また（ａ）脂肪族アミンは、ジアミン、トリアミンなどの多価アミンであってもよい。具体的にはデカンジアミン、ドデカンジアミン等が挙げられる。
【００１８】
（ｂ）炭素数６〜３６の芳香族アミンは、窒素原子に結合する置換基が、脂肪族炭化水素基を置換基として有していてもよい芳香族炭化水素基であり、また芳香環構造の中に窒素原子が組み入れられた、いわゆる窒素原子を含む複素環化合物をも包含するものである。なお、複素環化合物においても、脂肪族炭化水素基を置換基として有していてもよい。
芳香族アミンの具体例としては、２−エチルピリジン（４．５ｇ／１００ｇ）、４−エチルピリジン（４．７ｇ／１００ｇ）、アニリン（３．６ｇ／１００ｇ）、Ｎ，Ｎ−ジメチルアニリン等の炭素数６〜２２のアリール基（アルキルアリール基、アリールアルキル基を含む）を有するアミン、フェニルイミダゾールなどが挙げられる。
また（ｂ）芳香族アミンは、ジアミン、トリアミンなどの多価アミンであってもよい。具体的にはＮ，Ｎ−ジエチル−Ｐ−フェニレンジアミン、１，８−ジアミノナフタレンなどが挙げられる。
【００１９】
（ｃ）上記一般式（１）で表されるアミンにおいて、Ｒ1、Ｒ2及びＲ3の内、少なくとも１つは、炭素数４〜２２のエーテル結合又はアミド結合を有する炭化水素基であり、好ましくは炭素数６〜２２、更に好ましくは炭素数６〜１８の、エーテル結合又はアミド結合を有する炭化水素基である。
本発明においてエーテル結合を有する置換基としては、エトキシプロピル基、ブトキシプロピル基、２−エチルヘキシルオキシプロピル基、ラウリルオキシプロピル基等が挙げられる。また、本発明においてアミド結合を有する置換基としては、２−アセトアミノ−２−メチル−エチル基などが挙げられる。
残余のＲ1、Ｒ2及びＲ3は、同一でも異なってもよく、炭素数１〜２２の炭化水素基又は水素原子であるが、インクの保存安定性の点より、炭素数１〜３のアルキル基、又は水素原子が好ましい。炭素数１〜３のアルキル基の具体例としてはメチル基、エチル基、プロピル基、イソプロピル基が挙げられる。
本発明における一般式（１）で表わされる水難溶性のアミンの具体例としては、ブトキシプロピルアミン、２−エチルヘキシロキシプロピルアミン（１．５ｇ／１００ｇ）、ラウロキシプロピルアミン（０．１ｇ／１００ｇ）などが挙げられる。
【００２０】
本発明で用いることのできる水難溶性のアミンの塩は、水難溶性のアミンを塩酸、硫酸、硝酸、酢酸、ギ酸、マレイン酸、フマル酸、クエン酸、酒石酸、アジピン酸、スルファミン酸、トルエンスルホン酸、乳酸、ピロリドン−２−カルボン酸、コハク酸等で酸中和物とすることにより得ることができる。水難溶性のアミンの塩の具体例としては、オクチルアミン塩酸塩、ドデシルアミン塩酸塩などが挙げられる。
【００２１】
（水溶性の塩基性化合物）
自己分散型顔料のアニオン性基は、その一部が水溶性の塩基化合物で中和されていてもよい。水溶性の塩基性化合物は、前記アニオン性基を有する自己分散型顔料の保存安定性を高めるために用いられる。
本発明において水溶性とは、２０℃の水１００ｇに溶解させたときに、その溶解度が５０ｇ以上であることを意味する。
水溶性の塩基性化合物の具体例としては、水酸化リチウム、水酸化ナトリウム、水酸化カリウム等のアルカリ金属の水酸化物；アルカリ土類金属の水酸化物；炭酸ナトリウム、炭酸カリウム、炭酸水素ナトリウム、炭酸水素カリウムのような金属の炭酸塩および炭酸水素塩；ジエタノールアミン、ジメチルエタノールアミン、Ｎ−メチルエタノールアミン、Ｎ−エチルジエタノールアミン、トリエタノールアミン、ジイソプロパノールアミン等のアルカノールアミン；トリエチルアミン、ｎ−ブチルアミン等のアルキルアミン、２−アミノ−２−メチルプロパノール、２−エチル−２−アミノ−１，３−プロパンジオール、２−（アミノエチル）エタノールアミン、トリス（ヒドロキシメチル）アミノメタン、ピペリジン、モルフォリン等の有機アミン等が挙げられる。
これらのうち、本発明の水系インクの安定性を確保する観点から、アルカリ金属の水酸化物が好ましい。
【００２２】
（水系インクの製造方法、及び水系インク）
本発明の水系インクの製造方法について特に制限はないが、予め調製しておいた自己分散型顔料と、水難溶性のアミン又はその塩とを混合する工程を有することが好ましい。この工程を有することによって、自己分散型顔料の水分散性を損なうことなく、本発明の水系インクに高印字濃度発現性を付与することができる。水溶性の塩基性化合物も、同時に混合してもよく、インクジェット記録用インクに必要な種々の添加剤を同時に混合してもよい。
【００２３】
水系インク中、アニオン性基を有する自己分散型顔料の配合量又は含有量は、印字濃度を高める点から、１〜２０重量％が好ましく、２〜１５重量％がさらに好ましく、３〜１２重量％が特に好ましい。
水系インク中、水難溶性のアミン又はその塩の配合量又は含有量は、印字濃度を高める点から、０．０００１〜１０重量％が好ましく、０．００１〜１重量％が更に好ましく
０．０１〜３重量％が特に好ましい。
また、水溶性の塩基性化合物の配合量又は含有量は、０．０００１〜１０重量％が好ましく、０．００１〜５重量％が更に好ましい。
【００２４】
水系インク中、アニオン性基を有する自己分散型顔料と水難溶性のアミン又はその塩の配合重量比又は含有重量比は、アニオン性基を有する自己分散型顔料１００重量部に対して、水難溶性のアミン又はその塩が０．１〜５０重量部が好ましく、０．５〜５重量部が更に好ましい。
水系インク中、水難溶性のアミン又はその塩と水溶性の塩基性化合物の配合重量比又は含有重量比は、本発明の水系インクの保存安定性と印字濃度の点から、１０／１〜１／１０が好ましく、５／１ 〜１／５が更に好ましい。
水系インク中における自己分散型顔料の平均粒径は、印字濃度を高める点から、１０〜３００ｎｍが好ましく、５０〜２００ｎｍが更に好ましい。
なお、水系インク中、自己分散型顔料の平均粒径は、大塚電子株式会社製の光散乱光度計「ＥＬＳ−８０００」(キュムラント法)を用いて測定した値である。測定条件は、温度が２５℃、入射光と検出器との角度が９０°、積算回数が１００回であり、分散溶媒の屈折率として水の屈折率（１．３３３） を入力した。また標準物質としてセラディン(Seradyn) 社製のユニフォーム・マイクロパーティクルズ (平均粒径２０４ｎｍ)を用いた。
【００２５】
本発明の水系インクのｐＨは、４〜１０が好ましい。また、本発明の水系インクには、水が好ましくは４０〜９０重量％、更に好ましくは５０〜８０重量％含有されている。
また、インクジェット記録用水系インクには、通常用いられる各種添加剤、例えば、多価アルコール等の湿潤剤、分散剤、消泡剤、防黴剤、キレート剤、ｐＨ調整剤等を必要により含有することができる。
【実施例】
【００２６】
以下の実施例及び比較例において、特記しない限り「部」は「重量部」であり、「％」は「重量％」を示す。
各実施例及び比較例において調製した水性インクの性能は、下記方法に基づいて評価した。
【００２７】
（保存安定性）
各実施例及び比較例にて調製したインク各１ｇをガラスカップにとり、圧力０．０２ＭＰａ、温度４０℃の条件で１２時間保持し、その前後で着色剤粒子の平均粒径を計測し、以下の式で示される平均粒径の増大率を、以下の評価基準に基づいて評価した。
平均粒径の増大率（％）＝(１２時間保持後の粒径／１２時間保持前の粒径)×１００
◎：１００％以上１０５％未満     実用上の支障全く無し
○：１０５％以上１１０％未満     実用上支障無し
×：１１０％以上                 実用上支障あり
【００２８】
（印字濃度）
セイコーエプソン株式会社製プリンター（型番：ＥＭ−９３０Ｃ）を用い、各実施例及び比較例にて調製したインクを用いて市販の普通紙（ＸＥＲＯＸ４２００）にベタ印字し、２５℃で１時間放置後、印字濃度をマクベス濃度計（クレタクマクベス社製、品番：ＲＤ９１４) で測定した。
【００２９】
実施例１
カーボンブラック水分散体として、キャボットスペシャルティケミカルス社製、ＣＡＢ−Ｏ−ＪＥＴ３００（固形分２０％アニオン性基はカルボキシル基）３２．９部、グリセリン（和光純薬工業株式会社製、試薬：特級）１０部、トリエチレングリコールモノブチルエーテル（和光純薬工業株式会社製、試薬：特級）７部、界面活性剤［エアプロダクツ社製、商品名「サーフィノール４６５」］１部、ｎ−オクチルアミン（溶解度０．０２ｇ／１００ｇ）（和光純薬工業株式会社製、試薬：特級）０．１２５部、防腐剤［ＡＶＥＣＩＡ社製、商品名「プロキセルＸＬ２（Ｓ）」］０．３部を混合し、イオン交換水を加えて計１００部とし、５μｍのフィルター〔アセチルセルロース膜、外径：２．５ｃｍ、富士写真フイルム株式会社製〕を取り付けた容量２５ｍＬの針なしシリンジ（テルモ株式会社製）で濾過して粗大粒子を除去し、水系インク１を得た。水系インク１について、上記方法にて評価した結果を第１表に示す。
【００３０】
実施例２
実施例１において、ｎ−オクチルアミン０．１２５部の代わりに、２−エチルヘキシロキシプロピルアミン（溶解度１．５ｇ／１００ｇ）（和光純薬工業株式会社製、試薬：特級）０．１８部を用いたこと以外は、実施例１と同様にして、水系インク２を得た。水系インク２について、上記方法にて評価した結果を第１表に示す。
【００３１】
実施例３
実施例１において、ｎ−オクチルアミン０．１２５部の代わりに、アニリン（溶解度３．６ｇ／１００ｇ）（シグマアルドリッチジャパン株式会社製、試薬）０．０９部を用いたこと以外は、実施例１と同様にして、水系インク３を得た。水系インク３について、上記方法にて評価した結果を第１表に示す。
【００３２】
比較例１
実施例１において、ｎ−オクチルアミン０．１２５部の代わりにトリエタノールアミン（溶解度１００ｇ以上／１００ｇ）（和光純薬工業社製試薬：特級）０．１４４部を用いたこと以外は実施例１と同様にして、比較水系インク１を得た。比較水系インク１について、上記方法にて評価した結果を第１表に示す。
【００３３】
比較例２
実施例１において、ｎ−オクチルアミン０．１２５部の代わりにイオン交換水を用いたこと以外実施例１と同様にして、比較水系インク２を得た。比較水系インク２について、上記方法にて評価した結果を第１表に示す。
【００３４】
実施例４
実施例１において、カーボンブラック水分散体として、キャボットスペシャルティケミカルス社製、ＣＡＢ−Ｏ−ＪＥＴ３００（固形分２０％、アニオン性基はカルボキシル基）３２．９部の代わりにオリヱント化学工業株式会社製ＢＯＮＪＥＴＢＬＡＣＫ ＣＷ−２（固形分１５％、アニオン性基はカルボキシル基）４３．９部を用いたこと以外は、実施例１と同様にして、水系インク４を得た。水系インク４について、上記方法にて評価した結果を第１表に示す。
【００３５】
実施例５
実施例４において、ｎ−オクチルアミン０．１２５部の代わりに、２−エチルヘキシロキシプロピルアミン（溶解度１．５ｇ／１００ｇ）０．１８部を用いた以外は実施例４と同様にして、水系インク５を得た。水系インク５について、上記方法にて評価した結果を第１表に示す。
【００３６】
実施例６
実施例４において、ｎ−オクチルアミン０．１２５部の代わりに、アニリン（溶解度３．６ｇ／１００ｇ）０．０９部を用いたこと以外は、実施例４と同様にして、水系インク６を得た。水系インク６について、上記方法にて評価した結果を第１表に示す。
【００３７】
比較例３
実施例４において、ｎ−オクチルアミン０．１２５部の代わりにトリエタノールアミン（溶解度１００ｇ以上／１００ｇ）０．１４４部を用いたこと以外は実施例４と同様にして、比較水系インク３を得た。比較水系インク３について、上記方法にて評価した結果を第１表に示す。
【００３８】
比較例４
実施例１において、ｎ−オクチルアミン０．１２５部の代わりにイオン交換水を用いたこと以外実施例１と同様にして、比較水系インク４を得た。比較水系インク４について、上記方法にて評価した結果を第１表に示す。
【００３９】
実施例７
実施例１において、更に５Ｎ水酸化ナトリウム水溶液（和光純薬社製、容量分析用）０．２３部を加え、イオン交換水の添加量を調整して計１００部としたこと以外は、実施例１と同様にして、水系インク７を得た。水系インク７について、上記方法にて評価した結果を第１表に示す。
【００４０】
実施例８
実施例２において、更に５Ｎ水酸化ナトリウム水溶液０．２３部を加え、イオン交換水の添加量を調整して計１００部としたこと以外は、実施例２と同様にして、水系インク８を得た。水系インク８について、上記方法にて評価した結果を第１表に示す。
【００４１】
実施例９
実施例４において、更に５Ｎ水酸化ナトリウム水溶液０．２３部を加え、イオン交換水の添加量を調整して計１００部としたこと以外は、実施例４と同様にして、水系インク９を得た。水系インク９について、上記方法にて評価した結果を第１表に示す。
【００４２】
【表１】
2006083304.tif 000003
【００４３】
第１表中、CAB-O-JET300は、キャボットスペシャルティケミカルス社製カーボンブラックを示し、BONJETBLACK CW-2は、オリヱント化学工業株式会社製カーボンブラックを示す。
【産業上の利用可能性】
【００４４】
本発明によれば、実用上の保存安定性に優れるとともに、普通紙に印字した際に高い印字濃度が得られるインクジェット記録用水系インクを提供することができる。